(57)【要約】【課題】落下等の衝撃が筐体内部の構成部材与える影響を効率的に吸収し筐体の小型化を実現し得る撮像装置を提供する。【解決手段】撮像装置１において、レンズ鏡枠ユニット４と、レンズ鏡枠ユニットを収容している筐体（２，３）と、レンズ鏡枠ユニットの一面と筐体内の一面との間に配置されレンズ鏡枠ユニットの一面に対する筐体内の一面の当該平面に沿う方向への相対変位によって剪断変位を受けることが可能な衝撃吸収素材２４ａ，２４ｂとを有してなる。【選択図】図３
2009128525.tif 000002
【特許請求の範囲】
【請求項１】
撮像装置において、
レンズ鏡枠ユニットと、
上記レンズ鏡枠ユニットを収容している筐体と、
上記レンズ鏡枠ユニットの一面と上記筐体内の一面との間に配置され、上記レンズ鏡枠ユニットの上記一面に対する上記筐体内の一面の当該平面に沿う方向への相対変位によって剪断変位を受けることが可能な衝撃吸収素材と、
を有してなることを特徴とする撮像装置。
【請求項２】
上記筐体と上記レンズ鏡枠ユニットとの相対位置を決定するための位置決め手段を有することを特徴とする請求項１に記載の撮像装置。
【請求項３】
上記位置決め手段は、上記筐体に設けられた穴部と、上記レンズ鏡枠ユニットに設けられた穴部と、によって構成されていることを特徴とする請求項２に記載の撮像装置。
【発明の詳細な説明】
【技術分野】
【０００１】
この発明は、撮像装置、詳しくは外部からの衝撃力を吸収する緩衝部材を有し耐衝撃性能を考慮した撮像装置に関するものである。
【背景技術】
【０００２】
従来、写真撮影機能を有するカメラ等の撮像装置においては、使用者が気軽に携帯して持ち歩き、所望のときに取り出して使用することができるように小型化及び薄型化が望まれている。
【０００３】
そこで、従来の撮像装置においては、例えば前面側から光学レンズに入射する光束の光軸を反射鏡等を用いて折り曲げて、当該入射光束を筐体内部の底面側等に配置した撮像素子の受光面へと導くように構成される屈曲光学系を適用したレンズ鏡枠ユニットを備えることで、その撮像装置の筐体の小型化及び薄型化を実現するための技術が、種々提案されまた実用化されている。
【０００４】
一方、上述したような工夫によって筐体の小型化や薄型化を実現した撮像装置においては、使用者が所望のときに気軽に持ち運び使用することができるので、例えば撮像装置等を携帯しての移動中や撮像装置等の使用中に当該撮像装置等を使用者が誤って落下させたり構造物に衝突させてしまう等の可能性が高いと考えられる。
【０００５】
このように、撮像装置等の移動時又は使用時等に当該撮像装置の筐体に対して意図しない衝撃等による外力が加わったような場合には、上記撮像装置の筐体を形成する外装部材に対してだけではなく、撮像装置の内部構成部材、例えばレンズ鏡枠ユニット等に対しても不必要な負荷がかかることになる。
【０００６】
通常の撮像装置の筐体内部には、複数の光学レンズ等の光軸が一致するように各光学レンズ等をそれぞれ保持すると共に一部の光学レンズを光軸に沿う方向に移動させ得るように構成したレンズ鏡枠ユニット等可動部を有する構成部材が配設されている。
【０００７】
そこで、従来の撮像装置においては、筐体内部の各種構成部材を落下衝撃等に起因する外力から保護するために、例えば保護すべき筐体内部の構成物に対して、その６方向（前後左右上下方向）の面のいずれかに衝撃を吸収し得る衝撃緩衝部材を挿入し、筐体に対して外力が加わったときには、緩衝部材が圧縮することで衝撃を緩和するように構成しされるフローティング構造を有するものが、例えば特開２００５−１７３２４９号公報等によって種々の提案がなされている。
【特許文献１】特開２００５−１７３２４９号公報
【発明の開示】
【発明が解決しようとする課題】
【０００８】
ところが、上記特開２００５−１７３２４９号公報等によって開示されている手段では、緩衝部材自体の厚みが衝撃吸収性能を左右することになるので、必要とする性能を維持するためには、撮像装置の筐体と内部構成部材との間に緩衝部材を配置するための所定の空間を確保する必要がある。
【０００９】
しかしながら、近年の撮像装置においては、小型化及び薄型化に対する要望が強く、筐体内部に必要な厚さの緩衝部材を配置するた空間を確保することが困難になりつつあり、撮像装置が必要とする衝撃吸収性能を維持することが難しい状況になってきているという問題点がある。
【００１０】
本発明は、上述した点に鑑みてなされたものであって、その目的とするところは、落下等に起因して加わる外力が撮像装置の筐体内部の構成部材与える衝撃を緩衝部材によって効率的に吸収し筐体の小型化を実現し得る撮像装置を提供することである。
【課題を解決するための手段】
【００１１】
上記目的を達成するために、本発明による撮像装置は、レンズ鏡枠ユニットと、上記レンズ鏡枠ユニットを収容している筐体と、上記レンズ鏡枠ユニットの一面と上記筐体内の一面との間に配置され、上記レンズ鏡枠ユニットの上記一面に対する上記筐体内の一面の当該平面に沿う方向への相対変位によって剪断変位を受けることが可能な衝撃吸収素材と、を有してなることを特徴とする。
【発明の効果】
【００１２】
本発明によれば、落下等に起因して加わる外力が撮像装置の筐体内部の構成部材与える衝撃を緩衝部材によって効率的に吸収し筐体の小型化を実現し得る撮像装置を提供することができる。
【発明を実施するための最良の形態】
【００１３】
以下、図示の実施の形態によって本発明を説明する。
【００１４】
図１〜図４は、本発明の第１の実施形態の撮像装置の構成を示す図である。このうち、図１は、本発明の第１の実施形態の撮像装置の外観を示す外観斜視図である。図２は、本実施形態の撮像装置の背面側を示す外観図である。この図２では、当該撮像装置の背面側の一部を破いて示しており、これにより、当該撮像装置の筐体内部に設けられるレンズ鏡枠ユニットの配置状態を示している。図３は、本実施形態の撮像装置の筐体とその内部に配設されるレンズ鏡枠ユニットとの組み立て構成を示す分解斜視図である。図４は、図２の［ＩＶ］−［ＩＶ］線に沿う断面図である。
【００１５】
本実施形態の撮像装置は、略直方体の箱型形状からなる筐体と、この筐体の内部に配設されるレンズ鏡枠ユニットやその他の各種ユニット及び電気回路や電気部品を実装した電気基板等の各種の内部構成物と、筐体の表面上に配設され内部構成物に連繋する複数の操作部材等によって主に構成されている。
【００１６】
即ち、図１〜図３に示すように、本実施形態の撮像装置１の筐体は、前面，両側面，上面，底面を覆うように形成される前面カバー部材２と、主に背面側を覆うように形成される背面カバー部材３とを組み合わせた状態としたとき略箱形状を形成している。
【００１７】
つまり、前面カバー部材２と背面カバー部材３とは、互いに組み合わされた状態で両者の四隅の所定の部位がビス３１（図３参照）等の連結部材によって互いに固設されている。これによって、上述のように箱形状の筐体が形成されている。
【００１８】
前面カバー部材２には、当該撮像装置１の筐体内部に設けられるレンズ鏡枠ユニット４（図１では図示せず）に対して被写体からの光束を入射させる撮影用窓２ｄや筐体内部に設けられる閃光発光装置の発光用窓２ｅ等が開口されている。
【００１９】
また、前面カバー部材２の上面側にはシャッターボタン１４，電源操作ボタン１５等の操作部材が配設されている。
【００２０】
背面カバー部材３には、例えばズーム用のＴボタン及びＷボタン，動作モード設定ボタン，撮影及び再生動作切換ボタン，メニュー表示操作ボタン，撮影領域切換ボタン（マクロボタン），ストロボモード切換ボタン，セルフタイマーボタン，露出補正切換ボタン等等、撮影及び再生時に実行すべき各種の操作入力を行う際に用いられる複数の操作部材１３が、その外表面に露出させて設けられている。
【００２１】
また、背面カバー部材３の内側には表示装置１６等が設けられている。そのために、背面カバー部材３には、表示装置１６の表示面が外部に向けて露出するように開口が形成されている。
【００２２】
このように形成される撮像装置１の筐体内部の空間には、レンズ鏡枠ユニット４等の複数の内部構成ユニットや、各種の電気回路を形成する複数の回路基板等が各所定の部位に配設されている。
【００２３】
レンズ鏡枠ユニット４は、前面カバー部材２の撮影用窓２ｄ（図１参照）から第１の光軸Ｏ１に沿って入射してきた被写体からの光束を、反射鏡（特に図示せず）によって第１の光軸Ｏ１に対して直交する方向へと折り曲げて、折り曲げられた後の第２の光軸Ｏ２上であって当該レンズ鏡枠ユニット４の底面側に配設されている撮像素子２５（図２参照）の受光面上へと導き、その受光面上に光学的な被写体像を結像させるように構成される折り曲げ光学系を構成する複数の光学レンズ及びそのレンズ保持枠等を有して構成されるユニットである。
【００２４】
レンズ鏡枠ユニット４の詳細構成については、その詳細な図示を省略しているのであるが、光学レンズ及びレンズ保持枠等のほかに、例えばシャッタユニットとこのシャッタユニットを駆動するシャッタ駆動モータ等からなるシャッター装置やフォーカシングモータ及びズーミングモータとその駆動力伝達機構からなるレンズ駆動装置，撮像素子２５（図２参照）を実装した電気基板等が一体となるように構成されている。
【００２５】
なお、レンズ鏡枠ユニット４における各種の構成部材や、その配置については、本発明とは直接関連しない部分であるので、通常一般の折り曲げ光学系を有するレンズ鏡枠ユニットの構成に準ずるものとして、その詳細説明は省略する。
【００２６】
このレンズ鏡枠ユニット４は、撮像装置１の筐体内部において、例えば図２に示すように筐体内部の一側面に寄った所定の部位に配設されている。なお、レンズ鏡枠ユニット４の筐体内部における配置については、この例に限ることはなく、例えば筐体内部の略中央部分等に配設するようにしてもよい。
【００２７】
この場合において、レンズ鏡枠ユニット４は、後述するように前面カバー部材２との間に緩衝部材２４ａを挟持した状態で、図３に示す位置決め用の二本の軸部材３２が前面カバー部材２の内面に設けられた位置決め用凹穴２ｆに嵌入される。これによって、レンズ鏡枠ユニット４は、前面カバー部材２の内面側の所定の位置に対して位置決めされる。
【００２８】
レンズ鏡枠ユニット４の前面側及び背面側の各平面部には、弾性を有するブチル系ゴム部材等からなり薄板状に形成される衝撃吸収素材である緩衝部材２４ａ，２４ｂが、例えば両面テープや接着剤等を用いて貼着されている。その後、上記二本の軸部材３２は抜き取られる。
【００２９】
レンズ鏡枠ユニット４の前面側に貼着されている緩衝部材２４ａは、前面カバー部材２に対してレンズ鏡枠ユニット４が組み付けられた状態となったとき、レンズ鏡枠ユニット４の前面とこれに対向する前面カバー部材２の内面との間に挟持された形態となるように配置されている。そして、このとき緩衝部材２４ａの一面は、レンズ鏡枠ユニット４の前面に貼着された状態であり、緩衝部材２４ａの他方の面は、これに対向する前面カバー部材２の内面に貼着されるようになっている。
【００３０】
同様に、レンズ鏡枠ユニット４の背面側に貼着されている緩衝部材２４ｂは、前面カバー部材２に対してレンズ鏡枠ユニット４が組み付けられ、かつその前面カバー部材２と背面カバー部材３とが組み合わされた状態となったとき、レンズ鏡枠ユニット４の背面とこれに対向する背面カバー部材３側の例えば表示装置１６の内側面の所定の平面との間に挟持された形態となるように配置されている。そして、このとき緩衝部材２４ｂの一面は、レンズ鏡枠ユニット４の背面に貼着された状態であり、緩衝部材２４ｂの他方の面は、これに対向する構成部材（ここでは表示装置１６としている）の内面側の所定の平面に貼着されるようになっている。
【００３１】
なお、撮像装置１におけるその他の内部構成部材の配置等については、本発明に直接関連しないので、通常一般の折り曲げ光学系を有する撮像装置における内部構成の配置に準ずるものとして、その詳細説明は省略する。
【００３２】
このように構成された本実施形態の撮像装置１に対して、例えば落下等の衝撃が加わった場合の作用を以下に説明する。
【００３３】
図５〜図９は、本実施形態の撮像装置に対して衝撃が加わった際の作用を説明する図である。このうち、図５〜図７は、本実施形態の撮像装置が所定の姿勢で落下したときの作用を示している。
【００３４】
このうち、図５は、本実施形態の撮像装置が所定の姿勢で落下した際の様子を示す概念図である。図６は、本実施形態の撮像装置が図５に示す姿勢で落下した際に内部のレンズ鏡枠ユニットが移動する状態を背面側から示す図である。このうち図６（Ａ）は落下前のレンズ鏡枠ユニットの配置状態を示し、図６（Ｂ）は落下後のレンズ鏡枠ユニットの配置状態を示している。図７は、図６の所定の線に沿う断面図であって、図７（Ａ）は図６（Ａ）の［ＶＩＩＡ］−［ＶＩＩＡ］線に沿う断面図、図７（Ｂ）は図６（Ｂ）の［ＶＩＩＢ］−［ＶＩＩＢ］線に沿う断面図である。
【００３５】
まず、本実施形態の撮像装置１が、図５に示す姿勢で、同図矢印Ｆ方向に沿って床面１００等に落下した場合を考えてみる。なお、矢印Ｆ方向は、この場合において、レンズ鏡枠ユニット４の緩衝部材２４ａが貼着される一面に対する筐体側の内面の一面の平面に沿う方向である。
【００３６】
撮像装置１が図５の矢印Ｆに沿って落下し床面１００上に衝突したとき、撮像装置１の筐体内部においては、その衝突の瞬間にレンズ鏡枠ユニット４に対しても同方向への外力が加わることになる。この衝撃に伴って、レンズ鏡枠ユニット４は、図６（Ａ），図７（Ａ）に示す衝突前の状態から図６（Ｂ）に示す衝突後の状態に変位する。
【００３７】
具体的には、レンズ鏡枠ユニット４は、図６（Ｂ），図７（Ｂ）に示す符号Ｘ１の分だけ筐体に対して下方に移動することになる。このとき、筐体とレンズ鏡枠ユニット４との間には、緩衝部材２４ａ，２４ｂが挟持された状態にあり、この緩衝部材２４ａ，２４ｂはそれぞれ対向する面に貼着された状態にある。
【００３８】
したがって、この落下衝撃によって生じる矢印Ｆ方向の衝撃力は、緩衝部材２４ａ，２４ｂを介してレンズ鏡枠ユニット４に加わることになる。これにより、筐体とレンズ鏡枠ユニット４とは、緩衝部材２４ａ，２４ｂを介して相対変位することになる。このとき、緩衝部材２４ａ，２４ｂは、それ自身の平面方向に沿うように矢印Ｆ方向の剪断変位を受けることで、その衝撃力を吸収する。
【００３９】
なお、レンズ鏡枠ユニット４は、これが収容される筐体に対して、上述したように二本の軸部材３２によって位置決め規制されているのであるが、筐体に衝撃等の外力が加わって緩衝部材２４ａ，２４ｂが剪断変位を受けることで衝撃を吸収する時には、軸部材３２は取り去られているので、レンズ鏡枠ユニット４が外力に沿う方向に移動するのを許容するようになっている。そのために、レンズ鏡枠ユニット４が移動し得る方向には、レンズ鏡枠ユニット４と筐体との間に若干の隙間空間が設けてある。
【００４０】
また、本実施形態の撮像装置１が上述の図５に示す例とは異なる別の姿勢にて落下した場合の作用を以下に説明する。
【００４１】
図８，図９は、本実施形態の撮像装置が別の姿勢で落下したときの作用を説明する図である。このうち、図８は、撮像装置が別の姿勢で落下した際の様子を示す概念図である。図９は、撮像装置が図８に示す姿勢で落下した際に内部のレンズ鏡枠ユニットが移動する状態を背面側から示す図である。このうち図９（Ａ）は落下前のレンズ鏡枠ユニットの配置状態を示し、図９（Ｂ）は落下後のレンズ鏡枠ユニットの配置状態を示している。
【００４２】
この場合は、本実施形態の撮像装置１が、図８に示す姿勢で、同図矢印Ｆ方向に沿って床面１００等に落下した場合である。この場合も、矢印Ｆ方向は、レンズ鏡枠ユニット４の緩衝部材２４ａが貼着される一面に対する筐体側の内面の一面の平面に沿う方向である。
【００４３】
撮像装置１が図８の矢印Ｆに沿って落下し床面１００上に衝突したとき、撮像装置１の筐体内部においては、その衝突の瞬間にレンズ鏡枠ユニット４に対しても同方向への外力が加わる。この衝撃に伴って、レンズ鏡枠ユニット４は、図９（Ａ）に示す衝突前の状態から図９（Ｂ）に示す衝突後の状態に変位する。
【００４４】
具体的には、レンズ鏡枠ユニット４は、図９（Ｂ）に示す符号Ｘ１の分だけ筐体に対して下方に移動することになる。ここで、筐体とレンズ鏡枠ユニット４との間には、緩衝部材２４ａ，２４ｂが両者に対して貼着されて挟持されている。
【００４５】
したがって、この落下衝撃によって生じる矢印Ｆ方向の衝撃力は、緩衝部材２４ａ，２４ｂを介してレンズ鏡枠ユニット４に加わる。これにより、筐体とレンズ鏡枠ユニット４とは、緩衝部材２４ａ，２４ｂを介して相対変位する。このときもまた、緩衝部材２４ａ，２４ｂは矢印Ｆ方向の剪断変位を受けることで、その衝撃力を吸収する。
【００４６】
以上説明したように上記第１の実施形態によれば、撮像装置１が落下等により衝撃を受けたとき、筐体内部のレンズ鏡枠ユニット４に対して加わる剪断方向の外力をレンズ鏡枠ユニット４に貼着した緩衝部材２４ａ，２４ｂを剪断変位させることにより効率的に吸収することができる。そして、緩衝部材２４ａ，２４ｂは、薄板形状で形成したにもかかわらず充分な衝撃吸収性能を確保することができるので、撮像装置１の筐体の小型化及び薄型化を阻害することなく構成できる。
【００４７】
上述の第１の実施形態においては、レンズ鏡枠ユニット４の前面と背面との二面にそれぞれ緩衝部材２４ａ，２４ｂを貼着するように構成したが、この形態に限ることはない。例えば、上述の第１の実施形態における二枚の緩衝部材２４ａ，２４ｂのうちのいずれか一方のみを設けた構成としてもよい。また、次ぎに示す第２の実施形態のような構成としてもよい。
【００４８】
また、上記第１の実施形態の方法によれば、レンズユニット（レンズ鏡枠ユニット）が筐体内部にピン（軸部材３２）により位置決めされた後に、同ピン（軸部材３２）が抜去されるので、レンズユニットと筐体との相対移動も制限されず、充分な衝撃エネルギーの発散（消費）が可能となる。さらには、筐体の板厚に対する穴のピン嵌合深さも僅かでよく、穴による射出成形の外観ひけ等の筐体外観の影響もない。
【００４９】
図１０は、本発明の第２の実施形態の撮像装置の筐体とその内部に配設されるレンズ鏡枠ユニットとの組み立て構成を示す分解斜視図である。この図１０においては、図面の煩雑化を避けるために撮像装置の構成部材のうち筐体と、この筐体内部に収容されるレンズ鏡枠ユニットとを取り出して示している。図１１は、本実施形態の撮像装置の背面カバー部材を取り外して背面側から見た図であって、筐体内部のレンズ鏡枠ユニットの配置状態を示す配置図である。図１２は、図１１の［ＸＩＩ］−［ＸＩＩ］線に沿う断面図である。
【００５０】
本実施形態の撮像装置の基本的な構成は、上述の第１の実施形態の撮像装置と略同様である。本実施形態の撮像装置１においては、筐体に対するレンズ鏡枠ユニット４の位置決め手段と、緩衝部材２４ｃの配設位置が異なる。
【００５１】
図１０に示すように、本実施形態の撮像装置１Ａの筐体は、前面カバー部材２と背面カバー部材３とを組み合わせた状態で、両者をビス３１によって固定することにより箱形状を形成している。
【００５２】
この筐体の内部にレンズ鏡枠ユニット４が所定の部位に収容されている。この場合において、レンズ鏡枠ユニット４は、ユニット固定部材３３によって前面カバー部材２の内面側に位置決め固定されている。
【００５３】
ユニット固定部材３３は、前面カバー部材２の内面側の平面に沿うように配置される平板形状部３３ａと、この平板形状部３３ａの平面部に対して直交する方向であって背面側に突設される二枚の壁部３３ｂとによって形成されている。この二枚の壁部３３ｂは所定の間隔を置いて平板形状部３３ａに固設されている。そして、この二枚の壁部３３ｂに挟まれる空間にレンズ鏡枠ユニット４が配設されるようになっている。
【００５４】
つまり、ユニット固定部材３３に対してレンズ鏡枠ユニット４を所定の位置に配置したとき、二枚の壁部３３ｂのそれぞれの内側面と、レンズ鏡枠ユニット４の両側面とが対向するように配置される。この場合において、二枚の壁部３３ｂのそれぞれの内側面と、レンズ鏡枠ユニット４の両側面との間には、それぞれ緩衝部材２４ｃが挟持されるようになっている。そして、緩衝部材２４ｃは、一面が二枚の壁部３３ｂのそれぞれの内側面に貼着される一方、他面がレンズ鏡枠ユニット４の両側面に貼着されるようになっている。
【００５５】
なお、二枚の壁部３３ｂは、例えば薄板状の金属部材等によって形成されていて、板平面に対して直交する方向の外力に対しては、多少の弾性を有するように形成されている。
【００５６】
そして、ユニット固定部材３３は、その四隅の部位がビス３４等の連結部材によって前面カバー部材２の内面の固定部に対して固設されている。その他の構成は、上述の第１の実施形態と略同様である。
【００５７】
このように構成された上記第２の実施形態の撮像装置１Ａに対して、例えば落下等の衝撃が加わった場合の作用は、上述の第１の実施形態の場合と略同様である。
【００５８】
即ち、撮像装置１が、例えば図５に示す姿勢で矢印Ｆに沿って落下し床面１００上に衝突したときの場合を考える。
【００５９】
この場合、撮像装置１Ａの筐体内部においては、その衝突の瞬間にレンズ鏡枠ユニット４に対して同方向への外力が加わる。したがって、この衝撃に伴って、レンズ鏡枠ユニット４は、筐体に対して緩衝部材２４ｃを介して相対変位する。このとき、緩衝部材２４ｃは、外力の加わる方向と同方向（例えば図５の矢印Ｆ方向）の剪断変位を受けて、その衝撃力を吸収する。
【００６０】
なお、レンズ鏡枠ユニット４は、上述のように衝撃等による外力を受けたとき、筐体及びユニット固定部材３３に対して所定量だけ移動する。したがって、筐体は、レンズ鏡枠ユニット４が移動する方向において、その移動を許容するだけの空間が確保されている。
【００６１】
以上説明したように上記第２の実施形態によれば、上述の第１の実施形態とは異なる構成で略同様の効果を得ることができる。
【００６２】
さらに、本実施形態では、レンズ鏡枠ユニット４の両側面において緩衝部材２４ｃの光軸Ｏ２に沿う方向と同方向の剪断変位を受けるように構成する一方、光軸Ｏ２に直交する方向の衝撃に対しては、レンズ鏡枠ユニット４の両側面をユニット固定部材３３の二枚の壁部３３ｂによって緩衝部材２４ｃを介しての挟持するようにしているので、緩衝部材２４ｃの圧縮による衝撃吸収効果に加えて壁部３３ｂが弾性によって撓むことで衝撃を吸収することができる。
【００６３】
また、位置決めピンとしての軸部材３２と位置決め用の凹穴２ｆにより、小さなスペースで衝撃吸収素材を介しながら決められた所定の位置にレンズ鏡枠ユニットや他の部品、ユニットを正確に配置することができる。
【００６４】
さらに、上記第１の実施形態は、下記のような方法として提案することができる。即ち、
１．  撮像装置にレンズユニットを組み付ける方法において、
上記レンズユニットを筐体に組み付けるときに、上記レンズユニットの一面と上記筐体内の一面との間に衝撃吸収板材を配置し、
上記レンズユニットに設けられた穴と上記筐体に設けられた穴とに嵌合する軸部材で上記レンズユニットと上記筐体との相対位置を決定することを特徴とした撮像装置にレンズユニットを組み付ける方法。
【００６５】
２．  撮像装置にレンズユニットを組み付ける方法において、
レンズユニットを筐体に組み付けるときに、上記レンズユニットの一面と上記筐体内の一面との間に衝撃吸収板材を配置し、
上記レンズユニットに設けられた穴と上記筐体に設けられた穴とに軸部材を嵌合させ上記レンズユニットと上記筐体との相対位置を決定し、
上記相対位置の決定後、上記軸部材を抜去することを特徴とした撮像装置にレンズユニットを組み付ける方法。
【００６６】
である。
【００６７】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００６８】
【図１】本発明の第１の実施形態の撮像装置の外観を示す外観斜視図。
【図２】図１の撮像装置の背面側を示す外観図。
【図３】図１の撮像装置の筐体とその内部に配設されるレンズ鏡枠ユニットとの組み立て構成を示す分解斜視図。
【図４】図２の［ＩＶ］−［ＩＶ］線に沿う断面図。
【図５】図１の撮像装置が所定の姿勢で落下したときの様子を示す概念図。
【図６】図１の撮像装置が図５に示す姿勢で落下した際に内部のレンズ鏡枠ユニットが移動する状態を背面側から示す図であって、図６（Ａ）は落下前のレンズ鏡枠ユニットの配置状態を示し、図６（Ｂ）は落下後のレンズ鏡枠ユニットの配置状態を示す図。
【図７】図６の所定の線に沿う断面図であって、図７（Ａ）は図６（Ａ）の［ＶＩＩＡ］−［ＶＩＩＡ］線に沿う断面図、図７（Ｂ）は図６（Ｂ）の［ＶＩＩＢ］−［ＶＩＩＢ］線に沿う断面図。
【図８】図１の撮像装置が別の姿勢で落下したときの様子を示す概念図。
【図９】図１の撮像装置が図８に示す姿勢で落下した際に内部のレンズ鏡枠ユニットが移動する状態を背面側から示す図であって、図９（Ａ）は落下前のレンズ鏡枠ユニットの配置状態を示し、図９（Ｂ）は落下後のレンズ鏡枠ユニットの配置状態を示す図。
【図１０】本発明の第２の実施形態の撮像装置の筐体とその内部に配設されるレンズ鏡枠ユニットとの組み立て構成を示す分解斜視図。
【図１１】図１０の撮像装置の背面カバー部材を取り外して背面側から見た図であって筐体内部のレンズ鏡枠ユニットの配置図。
【図１２】図１１の［ＸＩＩ］−［ＸＩＩ］線に沿う断面図。
【符号の説明】
【００６９】
１，１Ａ……撮像装置
２……前面カバー部材
３……背面カバー部材
４……レンズ鏡枠ユニット
１６……表示装置
２４ａ，２４ｂ，２４ｃ……緩衝部材
２５……撮像素子
３１……ビス
３２……軸部材
３３……ユニット固定部材
３３ａ……平板形状部
３３ｂ……壁部
３４……ビス
【図１】
2009128525.tif 000003
【図２】
2009128525.tif 000004
【図３】
2009128525.tif 000005
【図４】
2009128525.tif 000006
【図５】
2009128525.tif 000007
【図６】
2009128525.tif 000008
【図７】
2009128525.tif 000009
【図８】
2009128525.tif 000010
【図９】
2009128525.tif 000011
【図１０】
2009128525.tif 000012
【図１１】
2009128525.tif 000013
【図１２】
2009128525.tif 000014